Podtech/llm-jp-corpus-v4-ja_patent huggingface dataset:
(57)【要約】      （修正有）【課題】断続的にマジックを使用するような時、一回使用した後一々キャップをするのは面倒でしたし、非効率的でした。しかしながら、そのままにしておくと、揮発性のインクが消耗してしまう問題がありました。Ｏリングのあるソケットを使用するには、対費用効果がなく、また、使用出来るマジックも固定してしまいます。【解決手段】マジックの不使用時、力を入れる事無くマジックを仮置き出来るキャップが有効です。使用するマジック自体のキャップをソケットとして利用します。元々それ自体のキャップなので機密性があり、同時に費用の発生が少なくて済みます。又、キャップの保持にクリップを使用する事により、多種類のマジックに対応可能で、シンプルな構造になりました。【選択図】図１
2007098928.tif 000002
【特許請求の範囲】
【請求項１】
マジック自身のキャップを、マジック立ての受としてそのまま利用するのが特徴の汎用マジック立て。
【請求項２】
マジック立てのキャップ保持部にクリップを使用することにより、大きさの異なるキャップの保持が可能な、即ち各種のマジック類に使用出来る汎用性が特徴の汎用マジック立て。
【請求項３】
図１Ｃのメイン固定脚に図１Ｄの吸盤を取り付ける事により、より強固な固定が出来、重量の重い大きなマジック類に対応出来、又、強い引きにも耐える事が出来るのが特徴の汎用マジック立て。
【発明の詳細な説明】
【技術分野】
【０００１】断続的に使用するマジックの不使用時、一々キャップをしないで済むようにする為の、マジックのペン立てです。
【背景技術】特別に背景にする技術はありません。
【発明の開示】
【発明が解決しようとする課題】
【０００２】断続的にマジックを使用している時、不使用時に一々キャップをするのは面倒でした。
しかし、そのままにしておくと、揮発してインクが消耗してしまう問題がありました。
又、一つのものに対応する仮キャップがあったとしても、違うサイズの物には、使用出来ません。
【課題を解決するための手段】
【０００３】マジックの不使用時、力を入れる事無くマジックを仮置き出来、同時にインクの揮発を防げる仮置き用キャップが有効です。
随時簡単に出し入れが出来、インクの揮発を防ぐキャップとして、そのマジック自体のキャップを有効利用して仮置きするキャップとします。
又、様々なサイズのキャップを受け入れ可能な台座を用意することにより汎用性を上げます。
［発明を実施する為の最良の形態］【０００４】マジックのキャップは、クリップで保持します。
図１Ａは、図１Ｂに力を加えることにより開閉します。図１Ａが最大、２０ｍｍまで開くとしたら、１ｍｍから２０ｍｍまでの間のキャップの保持が可能です。【０００５】クリップ閉用の図１Ｂは、クリップ開閉用フレームですが、マジック立て全体の固定脚の役目も同時にして、シンプルで効率的な構造を実現します。【０００６】図１Ｃは、マジック立てのメイン固定脚です。少し重めにすることにより、安定度を高めています。
更に強固な固定の必要が感じられた時の為に、先端図１Ｄに吸盤も取り付けます。
【発明の効果】断続的にマジック等の揮発性のペンの使用時に、一回一回、一々キャップをしたり、取り外したりする手間がなくなります。
仮置きは、キャップに差し置くだけなので力はいりません、しかし、元々そのペンのキャップですので機密性があり、インクの揮発が防げます。
キャップを保持するクリップの開口部は、開口距離が可変なので、大小各種のキャップに対応出来、フレキシブルです。
強力に固定したい場合用に、吸盤がありますので、大きなマジックも保持可能です。
軽量ですので、必要な場所に持ち運んで使用出来ます。
【図面の簡単な説明】
【０００７】
【図１】  全体図  マジックを実際に立てた時の図です
【図２】  クリップ図  クリップの図です。
【図３】  メイン脚図  クリップと接続する、メイン固定脚です。
【図１】
2007098928.tif 000003
【図２】
2007098928.tif 000004
【図３】
2007098928.tif 000005
(57)【要約】      （修正有）【課題】回転式連結処理機を提供する。従来の処理機と違い処理機全体が回転しながら処理分解を行う、又、処理機の内部に二枚のスクリュ羽を取り付けたことにより、処理能力も向上し、タイヤの回転で回転させるため、処理中の騒音もすくない。又円筒処理機は何台も連結出来るため一度に多く野は遺棄物の処理も短時間で出来る。【解決手段】処理機自体が左右に回転するため処理能力も上がり、処理機内部の二枚のスクリュ羽により撹拌時間の短縮にもなる。又、タイヤにて処理機を回転させるため、騒音の心配もなく、連結可能で面倒な作業もなく、自動で処理過程を進める事ができる。【選択図】図１
2007098372.tif 000002
【特許請求の範囲】
【請求項１】
本発明は、牛糞、豚糞、食品残渣、汚泥、ヘドロの処理分解に関わる発明です。本発明は円筒処理機であります。通常の処理機は大量処理するにも限界があり、又、処理時間も長時間かかります本発明の処理機は何台でも連結できるようにした。図でしめしたように同大きさの円筒処理機を連結できる発明です。
【請求項２】
本発明の円筒処理機内部にスクリュ条の羽を二種類付けた。一つは円筒処理機の内部外側に、突起条に取り付けた。二枚目のスクリュは円筒処理機に中心部に取り付けた。二枚のスクリュ羽により処理能力の向上する発明です。
【請求項３】
本発明の円筒処理機の中心スクリュ羽の固定に、固定撹拌金具で固定する発明です。
【発明の詳細な説明】
【技術分野】
【０００１】本発明は、牛糞、豚糞、汚泥、ヘドロ、食品残渣、等の分解処理機です。
【背景技術】
【０００２】現在、牛糞、豚糞、汚泥、食品残渣に関しては広大な敷地において、自然発酵処理してます。時間も掛かるし、人件費も掛かり、悪臭の問題もあります。本発明の連結円筒処理機二枚スクリュ羽は処理機全体が撹拌作業をおこなうので処理能力も大幅に向上する。処理機の回転には左右に六個のタイヤを使用して騒音防止をはかった。この処理機は一度投入すれば完全なコンポストが出来るまで、面倒な作業はいらない。
【発明の開示】
【発明が解決しようとする課題】
【０００３】本発明は、業務用、食品残渣、家畜の糞、汚泥、ヘドロ等の廃棄物処理機についての発明です。
本発明の特微は、処理機全体を円筒にし、回転させる仕組みであり、又円筒処理機の内部に二枚のスクリュ羽を取り付けた。スクリュ羽は円筒処理機が回転処理分解するに対し、撹拌作業が早まり、処理が完了した廃棄物を自動で次の円筒処理機に送りこめる。この処理機は同じ処理機を何台でも連結出来るようにした。
【課題を解決するための手段】
【０００４】本発明は、業務用、食品残渣、家畜の糞、汚泥、ヘドロ等の廃棄物処理機を円筒型にした。円筒型にすることにより、従来の処理機より小型になり、処理量も大幅に増やせ、処理時間も短縮できる。又、円筒処理機自体が回転するので、処理時間の短縮にもなり、処理機の回転も、騒音をなくすためタイヤを利用した。又、処理機の内部に二枚のスクリュ羽をつけ処理分解を早め、完了した廃棄物を次の処理機に送り込むこともでき、完成した廃棄物を円筒処理機を回転させながら取り出せる役目もする。又、処理機をいくつも連結できるようにした。連結した処理機は個々に回転できるようにした。第一の処理機、第二の処理機にコンポストを送り込むには連結部分の仕切り弁を開閉することにより第一処理機より第二処理機に人手を使わず処理機の回転のみで送り込むことができる。又、支柱シャフトから温風を送り込むことが出来、温度、乾燥、悪臭除去もできるようにした。このような処理機により通常の１０分１の時間で処理ができる。
【発明の効果】
【０００５】処理機全体の稼働をタイヤを利用したことにより騒音の問題も少なくなり、又、何台もの円筒処理機を連結でき、円筒処理機の内部に二枚のスクリュ羽を付け一度に大量の廃棄物処理分解が出来る。
【発明を実施するための最良の形態】
【０００６】以下、本発明の実施の形態について説明する。
円筒処理機は取り付け支柱（左右）に固定する。連結の場合も同じです。取り付け支柱の下、左右にシャフトが二本ありシャフトにタイヤを固定してある。その上に円筒処理機を固定する。このようにして、何台でも連結できる。円筒処理機の内部に二枚のスクリュ羽を取り付けた。スクリュ羽を取り付けたことにより、撹拌作業も早くなり、次の処理機に送り込むにも人手にたよらず処理機の回転のみで次の処理機の送り込める。取り出しも同じです。
【図面の簡単な説明】
【０００７】
【図１】連結円筒処理機全体図
【図２】処理機切断図
【符号の説明】
【０００８】  １    処理機外側
２    支柱
３    開閉弁
４    タイヤ
５    回転シャフト
６    歯車
７    歯車
８    モーター
９    設置台
１０    フイルター
１１    温風口
１２    処理機第一スクリュ
１３    フイルター
１４    ベアリング
１５    処理機第二スクリュ
１６    処理機第二スクリュ固定金具
【図１】
2007098372.tif 000003
【図２】
2007098372.tif 000004
(57)【要約】【課題】ベース体に足置き部、ローラー、足踏み体をつけた足鍛練具を提供する。【解決手段】ベース体後方に足置き部を設け、前方に軸動するローラーを設け、左右にシーソー可動する一対の足踏み体を設けたことを特徴とする足鍛練具。【選択図】図１
2007098102.tif 000002
【特許請求の範囲】
【請求項１】
ベース体と、該ベース体上部に設けられ足を指先が開放された状態で乗せられる足置き部と、該足置き部前方に設けられた軸動するローラーとより構成され、前記ローラーは前記足置き部に足を乗せた状態で指先の動きにより回転するものであることを特徴とする足鍛練具。
【請求項２】
ベース体左右に左右各足をそれぞれ乗せられる足踏み体をシーソー可動する可動機構を介して設けられた一対の足首鍛練部材を設けたことを特徴とする請求項１記載の足鍛練具。
【発明の詳細な説明】
【技術分野】
【０００１】  本発明は、ベース体に足置き部、ローラー、左右一対の足踏み体をつけた足鍛練具に関するものである。
【背景技術】
【０００２】  従来、自転車型や一対のペダルの上に立って足踏みをする運動具があった。
【発明の開示】
【発明が解決しようとする課題】
【０００３】  そのために、次のような問題点があった。
（イ）大型のためスペースが必要、取り扱いが不便。
（ロ）ある程度の体力が必要なため高齢者などには向かない。
本発明は、これらの問題点を解決するためになされたものである。
【課題を解決するための手段】
【０００４】  ベース体上部に足置き部を設け前方に軸動するローラーを設ける。ベース体左右にシーソー可動する一対の足踏み体を設ける。以上を特徴とする足鍛練具である。
【発明の効果】
【０００５】  小型なので場所をとらず椅子に腰掛けた状態で使用するため体力が弱くても運動が可能である。
足の指でローラーを回す運動により下肢の筋力強化、神経の活性化により歩行が安定し高齢者の場合転倒防止になる。
足踏み板に両足を乗せ足首をシーソーのように曲げて運動することにより筋肉の伸縮と静脈の弁の作用で血行を促進（ミルキングアクション）むくみの予防、改善、エコノミー症候群の血栓の発生を予防する。
【発明を実施するための最良の形態】
【０００６】  以下、本発明の実施の形態について図１から図４をもちいて説明する。
本発明はベース体と、ベース体上部に設けられた足置き部と、ローラーと、足踏み体とより構成される。
ベース体は方形状のベース盤（１）とベース盤（１）に対向する状態で立設された一対の側板（２）とより構成されている。側板（２）の上部には水平に足置き板（３）が固定されている。
足置き板（３）は足を指先の可動を妨げない範囲で足後部を置くことができる大きさとなっている。
また、側板（２）の足置き板（３）の前方対向する位置に軸受け穴（４）が設けられている。この軸受け穴（４）に軸（５）によりローラー（６）が回動する状態で取り付けられている。ローラー（６）は、前記足置き板（３）に足を乗せた状態で足の指先が接触するとともに、指の可動により回転する位置および大きさよりなるものである。
足踏み体は側板（２）の左右外側に立設された支持板（７）と、支持板（７）に回動可能に取り付ける取付板（８）を有する足踏み板（９）とより構成される。側板（２）と支持板（７）には軸受け穴が設けられており、ボルト（１０）とナット（１１）により取付板（８）の軸穴に回動可能に取り付けられる。足踏み板（９）は足全体が乗る大きさ形状よりなったものである。
本発明は以上の構成よりなる。
これを使用するときは、
椅子に腰掛け、床に置いた足鍛練具の足置き板（３）に足後部を置き、指先でローラーを回転させる。軽い運動にも拘わらず効果は母指外転筋、短（母）指伸筋、前脛骨筋、大腿直筋、ほか下肢全体に及び神経の活性化と相俟って足（脚）を若返らせます。
椅子に腰掛け、両足をそれぞれ左右の足踏み板（９）に乗せ、足首を曲げ足踏み板（９）をシーソーのように動かす運動をする。
【図面の簡単な説明】
【０００７】
【図１】本発明の斜視図
【図２】本発明の側面図
【図３】本発明の正面図
【図４】本発明の分解図
【符号の説明】
【０００８】      １  ベース盤
２  側板
３  足置き板
４  軸受け穴
５  軸
６  ローラー
７  支持板
８  取付板
９  足踏み板
１０  ボルト
１１  ナット
【図１】
2007098102.tif 000003
【図２】
2007098102.tif 000004
【図３】
2007098102.tif 000005
【図４】
2007098102.tif 000006
(57)【要約】【課題】  濡れたり汚れたりした衣服や来客者の衣服など、一時的に洋服ダンスの外に引っ掛けておきたい衣服を引っ掛けるハンガーレールを提供すること。【解決手段】  筒１の中にレール２を収納し、衣服を引っ掛けたいときにレール２を引っ張ると、引っ掛けるための穴３が引き出される構造になっている。そのレールや穴にハンガーを引っ掛けたり、レールの先端部４に服を引っ掛けたりする。【選択図】  図１
2007098101.tif 000002
【特許請求の範囲】
【請求項１】
レール２を筒１の中に収納し、ハンガーや服を引っ掛けたい時に、レール２を引き出してレールや引っ掛け穴３にハンガーを引っ掛けたり、レールの先端部４に服を引っ掛けたりして使用するもの。
【発明の詳細な説明】
【技術分野】
【０００１】本発明は、引き出して使うハンガーレールを特徴とし、一時的に洋服ダンスに収納したくない濡れた衣服や汚れた衣服などをそのレールに引っ掛けたり、来客者の衣服などを引っ掛けたりしておくことを目的としたもの。
【背景技術】
【０００２】従来は、雨で濡れたコートや背広などを引っ掛ける場所に困ることがあった。帰宅後、家の中にそれらの服を持って入ると家の中が汚れてしまう。また来客者の服を引っ掛けておく場所に困ることもある。タバコの臭いなどがついている服などは、外出先から帰ってきてから一時的に洋服ダンスの外に干しておきたいこともある。それらを解決するためにこの引き出して使うハンガーレールを発案した。
【発明の開示】
【発明が解決しようとする課題】
【０００３】雨で濡れたコートや背広などを家の中に持って入ると、家の中が濡れたり汚れたりするために、玄関に衣服を干しておきたいことがある。また、来客者の服を引っ掛けておく場所に困ることもある。タバコの臭いなどがついている衣服などは、一時的に洋服ダンスの外に干しておきたいこともある。
【課題を解決するための手段】
【０００４】そのような時に、レールを引き出し、衣服やハンガーに吊るした衣服をそのレールに引っ掛けるなら、家の中が濡れたり汚れたりする心配がなくなる。また来客者がのための簡易のハンガーレールにもなる。
【発明の効果】
【０００５】棚や下駄箱に取り付けておけば、帰宅してすぐに、家の中に入るまでにコートや背広などを引っ掛けることができる。ハンガーを引っ掛ける部分は、取り付けた棚や下駄箱からは一定の距離があるため、雨などによって家具が汚れたり濡れたりする心配がない。出し入れが自由にできるため、使用していないときに邪魔にならず目立たない。
【発明を実施するための形態】
【０００６】本発明は出し入れが自由なレールであるため、衣服を引っ掛けておきたい時に使用することができ、それを図面にて説明すれば、筒１を洋服ダンスや棚や下駄箱などに取り付けておき、使用する時に筒の中に収納されているレール２を引き出して、引っ掛けるための穴３にハンガーを引っ掛けたり、先端部４に服を掛けたりする仕組みになっている。ハンガーを、引き出したレール自体に引っ掛けてもよい。筒を棚や下駄箱などに取り付けるために、底部に螺子や釘などで留めるための穴を開けておいてもよい。また複数の衣服を引っ掛けるために、複数の引っ掛けるための穴や、レール自体にハンガーを引っ掛けられるようにレール上にくぼみを設けておくこともできる。
【図面の簡単な説明】
【０００７】棚や下駄箱の上部に取り付けておき、ハンガーや服を引っ掛けたい時にレール２を引っ張ると、ハンガーを引っ掛けるための穴３と服を掛ける先端部４が出てくる構造になっている。【図１】本発明の斜視図である。
【図２】本発明の断面図である。
【図３】本発明の側面図である。
【符号の説明】
【０００８】１  筒
２  レール
３  引っ掛けるための穴
４  先端部
【図１】
2007098101.tif 000003
【図２】
2007098101.tif 000004
【図３】
2007098101.tif 000005
(57)【要約】【課題】  寝転んでテレビを観たり、読書をしたりする際に、顔を引き起こした状態に頭部を支える小型軽量でインテリア性に富んだスタンド式ヘッドレストを提供する。【解決手段】  弓形状のバネ体１の上端にクッション部２を備える一方、バネ体１の下端を台座部３に固定する。【選択図】  図１
2007098103.tif 000002
【特許請求の範囲】
【請求項１】
１本乃至２本の剛性棒状材料で弓形状に形成されたバネ体の上端に、上面にクッションを備えた剛性の受け皿を水平に固定し、前記バネ体の下端を裏面に滑り止め手段を設けた台座に固定したことを特徴とするスタンド式ヘッドレスト。
【請求項２】
バネ体が剛性板状材料である請求項１記載のスタンド式ヘッドレスト。
【発明の詳細な説明】
【技術分野】
【０００１】  本発明は、床や布団に体を横たえて読書をしたり、テレビを観たりする際に利用され、ほお杖や腕枕の代わりに頭部を支えるヘッドレストとして使用されるとともに、顎や首筋の筋力を鍛えるエクササイズ用具としても使用できるヘッドレストに関するものである。
【背景技術】
【０００２】  従来、体を横たえて、読む、観る、操作する等、何かの行為をする場合には、頭部を引き起こした姿勢を保つために、ほお杖や腕枕で頭部を支えたり、枕やクッションを利用して頭部を高く保っていた。一方、背もたれに高さ調節機能を設けた枕が取り付けられたテレビ枕（商品名）なるものも提供されている。
【発明の開示】
【発明が解決しようとする課題】
【０００３】  そのために、次のような不都合があった。
（イ）支えを使用しないで、頭部を引き起こした姿勢を続けると首筋や肩が凝る。
（ロ）ほお杖や腕枕は、時間が経つと手や腕が痺れるとともに両手が使えない不便がある。
（ハ）枕やクッションで頭部を高く保つには、重ねたり、二つ折にしたり工夫が必要で容易には満足の得られる高さが得られない。
（ニ）「テレビ枕」は嵩張り、不使用時の扱いが面倒である。又、布団の中では使い難い。
（ホ）眼鏡使用の場合、枕やクッションは眼鏡のテンプルやフレームが邪魔になり横臥姿勢になり難い。
本発明は、これらの体を横たえた場合に起こる不都合を解決するとともに、首筋の筋力を鍛えて凝りを予防する用具としても使用できるヘッドレストを提供するためになされたものである。
【課題を解決するための手段】
【０００４】  本発明の構成は、金属等の剛性棒状の素材で弓形状に形成されたバネ体の上端に、上面にクッションを配した剛性の受け皿を固定し、前記バネ体の下端を裏面に滑り止め手段を設けた台座に固定して成り、クッション部分を手形やハート形などデザイン性に富んだ形状にしたことを特徴とするスタンド式ヘッドレストである。
【発明の効果】
【０００５】  前述の手段により、頭部を高く支える機能を損なわずに、緩衝性と強度を確保しながら小型軽量化が達成でき、さらにデザイン性に富んだ構成でありながら多機能性を有したものが提供でき、下記の効果がある。
（イ）伏臥、仰臥、横臥のどの姿勢で使用しても、バネの弾力が首筋への力の入れ加減に応じて頭部を心地好く支え、首や肩の負担を軽減して凝りを防ぐことができる。
（ロ）小型軽量なので、寝室、居間など使用場所への持ち運びが容易である。
（ハ）横臥姿勢の場合、クッション部が耳を塞がないので音楽などの臨場感を損なわない。
（ニ）眼鏡使用でも、横臥姿勢で使用可能である。
（ホ）クッション部に顎を乗せて、バネの弾力に逆らって口を開閉する動作で顎の筋力を鍛え、又、頭部を乗せて頭を上下する動作で首筋の筋力を鍛えることができ、顎や首筋の弛みを予防するエクササイズ用具として使用可能である。
（ヘ）小型軽量でインテリア性に富んだ構成なので、不使用時にいちいち収納のしないで身近に置いても違和感がない。
【発明を実施するための最良の形態】
【０００６】  以下、本発明の実施の形態を図面に基づいて説明する。
本発明は図１乃至図２に示す弓形状のバネ体１と、バネ体１の上端に設けられたクッション部２と、バネ体１の下端が固定された台座部３とから成り小型軽量に形成されたヘッドレストである。
バネ体１は、１本乃至２本の剛性棒状材料で弓形状に形成され、素材には金属、硬質樹脂等が使用される。そのバネ体１の上端には、金属、硬質樹脂等の剛性材料で形成された受け皿４が水平に設けられている。その受け皿４の上面には合成樹脂発泡材等のクッション５が備えられ、布、ビニール等の素材で外装されてクッション部２が構成されている。【０００７】  受け皿４は、円形状で吸盤状に浅く窪んだ形状をし、クッション部２に略球形状である頭部を載せた場合の安定性を確保している。クッション５の大きさは、最大でも片手位の大きさで、その形状は、手形、ハート形、花形等、ユニークで可愛いデザインに形成され、不使用時のインテリア性も考慮されている。【０００８】  バネ体１の下端は、金属、硬質樹脂、木等の素材で円形、方形等、所望形状に形成された台座６に固定され、その台座６の裏面には、ゴム、軟質樹脂等の滑り止め材７が数箇所に配されて台座部３が構成され、全体の高さは２５ｃｍ程度であるが、この高さに限定されるものではない。【０００９】  図３は、バネ体１が２本の棒状材料で形成された本発明の第２実施例の斜視図である。
図４は、バネ体１が１本の板状材料で形成された本発明の第３実施例の斜視図である。【００１０】  本発明は以上の構成から成り、その使用方法は、伏臥姿勢の場合はクッション部２に顎を載せて使用し、横臥姿勢の場合にはクッション部２を側頭部の耳の後部付近を載せ、仰臥姿勢の場合には、後頭部の首に近い部位を載せるのが安定した使用方法である。
又、エクササイズ用具としても使用可能であり、顎の筋力強化や弛みを改善する場合には、クッション部２に顎を載せて頭部を動かさずにバネ体１の弾力に逆らって口を開閉する使用法であり、更に、首筋の筋力強化や弛みを改善する場合には、伏臥、横臥、仰臥のそれぞれの使用姿勢で頭部を上下動させる使用法である。
【図面の簡単な説明】
【００１１】
【図１】  本発明の全体斜視図
【図２】  本発明の全体側面図
【図３】  本発明の第２実施例の全体斜視図
【図４】  本発明の第３実施例の全体斜視図
【符号の説明】
【００１２】  １………バネ体
２………クッション部
３………台座部
４………受け皿
５………クッション
６………台座
７………滑り止め材
【図１】
2007098103.tif 000003
【図２】
2007098103.tif 000004
【図３】
2007098103.tif 000005
【図４】
2007098103.tif 000006
(57)【要約】【課題】  バッティングセンターで打撃を楽しむ場合、打球がどのように飛んだのかや、どういう球であったのかが分かりにくかった。また、従来の投球装置には、時間とともに投球コースや速度が変化する性質があった。そのため、時間がたつと人手で調整しなければならなかった【解決手段】  投球の球種と速度、打者の打球の飛んだ予想位置、バットの最高速度、空振りの場合は球とバットの距離、打率、アウト数、本塁打数、打者への適切な助言、フライでアウトか、ライナーでヒットかが表示され印刷できる装置Ｃを備える。また、球の情報から自動的に調整される投球装置Ｂを備える。【選択図】図１
2007098074.tif 000002
【特許請求の範囲】
【請求項１】
バッティングセンターで、投球の球種とコースと速度、打者の打球の飛んだ予想位置、バットの速度、空振りの場合は球とバットの距離、打率、アウト数、本塁打数、打者への適切な助言、フライでアウトか、ライナーでヒットかの情報をコンピューターＤより得て、表示および印刷できる装置Ｃ。
【請求項２】
打者と球を映すカメラＡの出力を処理して請求項１の情報を作成し送信、記録するコンピューターＤ。
【請求項３】
コンピューターＤで得られた投球の速度とコースと球種の情報から各種機構が制御される投球装置Ｂ。
【発明の詳細な説明】
【技術分野】
【０００１】本発明はバッティングセンターで各種記録を測定するための装置に関する発明と制御された投球装置である。
【背景技術】
【０００２】従来の投球装置には、打者がコースや球種を指定できる物がある。
【発明の開示】
【発明が解決しようとする課題】
【０００３】従来のバッティングセンターでは打撃時にどんな球を打ったのかや、打球の方向や飛距離が分かりにくかった。【０００４】従来の投球装置には、時間とともに投球コースや速度が変化する性質があった。そのため、時間がたつと人手で調整しなければならなかった
【課題を解決するための手段】
【０００５】カメラで球と打者を映し、それをコンピューターで処理する事により、各種記録を作成する。【０００６】コンピューターで投球装置を制御し、最適な状態に保つ。
【発明の効果】
【０００７】打者が各種記録を見る事で、楽しめ、またフォームの変更などもできる。投球装置の調整の手間が減る。
【発明を実施するための最良の形態】
【０００８】  図１の投球装置Ｂから球が打者の方に出る。球と打者をカメラＡで映し、映像をコンピューターＤで処理する。結果は表示と印刷の装置Ｃに送る。各装置の位置は建物の構造に合わせて移動してもかまわない。また、表示と印刷の装置Ｅのように複数置いてもいい。
【図面の簡単な説明】
【０００９】
【図１】各装置の配置を示した平面図である。上から見た図。
【符号の説明】
【００１０】Ａ  カメラ
Ｂ  投球装置
Ｃ  表示と印刷の装置
Ｄ  コンピューター
Ｅ  表示と印刷の装置
【図１】
2007098074.tif 000003
(57)【要約】      （修正有）【課題】咬合採得適合率の高い、咬合堤製作基準での咬合採得による模型装着、義歯排列が同等にでき、安価で、シンプルで、デ−タ−保存ができ、容易に使用できるための咬合平面板は、強く求められていたが実現しなかった。【解決手段】模型の主な指標をトレ−ス、それをリセットするために穴を開けた咬合平面板５上に、咬合採得適合率の高い咬合堤製作基凖値で製作するために必要なランドマ−クに、それぞれ固有の咬合堤製作基準値を有する支持支柱１０，１２，１４と、平行確認板１５を個別に移動設置して、咬合器のガイドポ−ル２と平行に植立した補助ポ−ル３に連結した咬合平面板を用いた。【選択図】図１
2007098080.tif 000002
【特許請求の範囲】
【請求項１】
穴を開けた咬合平面板上に、咬合堤製作基準で製作するために必要なランドマ−クに、それぞれ固有の咬合堤製作基準値を有する支持支柱と、平行確認板を個別に移動設置して、咬合器のガイドポ−ルと平行に植立した補助ポ−ルに連結した咬合平面板
【発明の詳細な説明】
【発明の詳細な説明】
【産業上の利用分野】
【０００１】  穴を開けた咬合平面板上に、咬合堤製作基準で製作するために必要なランドマ−クに、それぞれ固有の咬合堤製作基準値を有する支持支柱と、平行確認板を個別に移動設置して、咬合器のガイドポ−ルと平行に植立した補助ポ−ルに連結した咬合平面板に関するものである。
【０００２】  有床義歯の診断、技工には、模型装着位置が最も重要である。
咬合基準値で製作した咬合堤による咬合採得は、咬合採得適合率高い。
これによって模型装着して生じる咬合平面は、信頼できる。
したがって、咬合平面板上に各ランドマ−クの示す咬合堤基準値分を挙上した空間上の点に、模型のランドマ−クを合致させ、咬合器装着した模型の位置は信頼できる。
【背景技術】
【０００３】  従来、模型装着、義歯排列共用の咬合平面板は、平坦で切歯、正中ラインのみであり、模型のランドマ−クを起点とした咬合平面板上での支持支柱法は存在しない。ラフな咬合堤で詳細な指示のないときには、経験によって装着、排列をしているのが現状である。それによって再装着、再排列というトラブルが度々発生していた。【０００４】  通説である上下顎の指標のトレ−スにおいて、透明板を平面板として印記する方法があったが、消去、印記を繰り返すことにより汚れ、デ−タ−の保存ができなかった。
【発明が解決しようとする課題】
【０００５】  咬合採得適合率の高い、咬合堤製作基準での咬合採得による模型装着、義歯排列が同等にでき、安価で、シンプルで、デ−タ−保存が出来、容易に使用できるための咬合平面板は、強く求められていてが実現しなかった。
【課題を解決するための手段】
【０００６】  模型の主な指標をトレ−ス、それをリセットする為に穴を開けた咬合平面板上に、咬合採得適合率の高い咬合堤製作基準で製作するために必要なランドマ−クに、それぞれ固有の咬合堤製作基準値を有する支持支柱と、平行確認板を個別に移動設置して、咬合器のガイドポ−ルと平行に植立した補助ポ−ルに連結した咬合平面板を用いた。
【作用】
【０００７】  本発明に係る上記咬合平面板を用いることによって、所期の課題の達成がみられた。
【実施例】
【０００８】  本発明は、咬合採得適合率の高い咬合堤製作基凖値（ランドマ−クから咬合平面までの距離  ハミュラ−ノッチ７ミリ  側切歯齦頬移行部２２ミリ切歯乳頭後縁から切歯線まで７ミリ  上顎４５の歯層と咬合平面がほぼ平行）の咬合堤と支持支柱の関係を図（３）に示すとうりであります。
これを元に製作した咬合平面板（５）を用いて、上下顎の総義歯の模型装着から排列までを図面について説明すると、咬合採得後の上顎模型（１９）に図（２）の示す咬合堤製作基準の起点となるランドマ−ク（９・１１・１３）を印記する。そのランドマ−クに、裏面にトレ−ス紙（２７）を張った咬合平面板（５）に付けた支持支柱（１０・１２・１４）と平行確認板（１５）を図（２）のように合わせ粘土（１８〉にて仮止めをする。裏面のリセット穴（１６）より圧痕針（１７）でトレ−ス紙（２７）を貫通し、模型にを圧痕をつける。それを剥がし模型の圧痕とトレ−ス紙（２７）のリセット穴（１６）を合致させ上顎模型の（図５−２７）の指標をトレ−スする。その後咬合平面板を咬合器の補助ポ−ル（３）に連結し、上顎模型を矢状面、前頭面から各ポイントを再確認して咬合器に装着する。
咬合堤を介在させて下顎模型を装着する。咬合平面板にトレ−ス紙を張り、上顎と同様の操作をして指標（図５−２８）の印記して、その上に上顎のトレ−ス紙をリセット穴（１６）を合わすことにより、上下の指標が平面的に描かれる。それを参考に正中（６）と切歯（８）の交点を頂点とする円弧を描き、人工歯の幅、ドクタ−の諸説に沿って排列する。
【効果】
【０００９】  このようにランドマ−クおよび基凖線を立体的に、また水平的に集約した咬合平面板は、勘に頼ることなく、熟練を要しないものとなる。それによって模型装着、排列された義歯は、理にかなったものとなり再装着、再排列の減少に繋がり効果も大きい。
【図面の簡単な説明】
【図１】本発明の実施の斜視図
【図２】上顎模型に支持支柱の試適と圧痕の図
【図３】咬合堤と支持支柱と平行確認板の図
【図４】本発明の咬合平面板の全容と咬合器の一部の図
【図５】上下顎の指標トレ−スとア−チメジャ−の図
【符号の説明】
１    咬合器                          １７    圧痕針
２    ガイドポ−ル                    １８    粘土
３    補助ポ−ル                      １９    上顎模型
４    咬合平面                        ２０    下顎模型
５    咬合平面板                      ２１    上顎結節
６    正中                            ２２    第一口蓋ヒダ
７    前歯切縁                        ２３    口蓋小窩
８    前歯切縁線                      ２４    臼後三角
９    ハミュラ−ノッチ                ２５    臼後三角１／２
１０    ハミュラ−ノッチ支持支柱        ２６    歯層頂
１１    側切歯齦頬移行部                ２７    トレ−ス上顎
１２    側切歯齦頬移行部支持支柱        ２８    トレ−ス下顎
１３    切歯乳頭後縁                    ２９    咬合堤  上
１４    切歯乳頭後縁支持支柱            ３０    咬合堤  下
１５    平行確認板                      ３１    ア−チメジャ−
１６    リセット穴                      ３２    高さ調整・固定ネジ
【図１】
2007098080.tif 000003
【図２】
2007098080.tif 000004
【図３】
2007098080.tif 000005
【図４】
2007098080.tif 000006
【図５】
2007098080.tif 000007
(57)【要約】      （修正有）【課題】従来のペーパーホールダーはホールダーの蓋を上から押さえて引き出したペーパーを上に上げてカットしていた為に両手での操作が必要な為に片手の不自由な方々には不便でした。片手の不自由な人々が使用できるトイレットペーパーホールダーを提供する。【解決手段】蓋３をほぼ水平に受けで定着させ、蓋３の根元の本体２との隙間５からペーパー１を引き出し蓋３の先端のカッターでペーパー１を下に押しつけるようにカットすれば片手の操作のみで簡単に用が果たせます。更に、美観上と残った後のペーパー１をセットしておく為にペーパーのつかみ代を残して奥行きの狭いバネで押さえる蓋４をカッター付蓋３の上に設ける事で製品価値が高まる。カッターの幅を広めにする場合はペーパー幅よりホールダー本体２を巻紙１より広めにして内側の両側に突起を設ければよい。【選択図】図２
2007098078.tif 000002
【特許請求の範囲】
【請求項１】
従来のトイレットペーパーのペーパーホールダーは必要分の紙を引き出してカットするのに両手でなければ出来ません。
片手の不自由な方々も、健常者の方々も不便です。
特に片手が不自由な方々にとっては使えません。
トイレットのペーパーホールダーは巻紙をセットしている本体と巻紙の必要分を引き出してから押さえこんで紙をカットする蓋とで構成されています。片手で蓋を押しつけ、片手で紙を蓋を兼ねたカッターでカットします。両手を使わないと無理な仕組みです。
カッターを兼ねた蓋の先端の刃の役目をする部分を下向きを改めほぼ水平に蓋共々し、ロールの紙をホールダー本体と蓋の隙間から引き出せば、片手のみで蓋を兼ねたカッターで必要分を簡単に引き出し下向きに押しつけてカット出来ます。
カット後のカッターを兼ねた蓋上の紙を常にズレヌように押さえるには、手によるペーパーの掴み代を残してズレを押さえる蓋を付けるようにします。美観上の役目も果たします。
【発明の詳細な説明】
【技術分野】  日常生活用品
【背景技術】  従来のトイレットペーパーホールダーは巻紙を必要分カットするには片手でカッター付蓋を上から押さえ、もう一方の片手で紙を上に上げてカットする為に両手操作が必要で片手のみの操作は不可。
【発明の開示】
【発明が解決しようとする課題】  従来のトイレットペーパーホールダーは片手の不自由な人々には使えません。健常者でも片手ですめば片手だけですませたいものです。それらの不自由を不自由でなくする事が求められています。
【課題を解決するための手段】  従来のトイレットペーパーホールダーは紙をカットする際に片手でカッターを兼ねた蓋を下に押し下げるようにして紙を引き上げるように両手を要しますが、蓋を兼ねたカッターを下向きから、ほぼ水平向きにし、紙はカッターを兼ねた蓋の上に従来の蓋の根元の隙間から引き出し、そのまま片手で紙を下向きに押しつけカットする。美観的にも紙のズレ防止の為にも蓋上での紙の掴み代を残してもう一枚の蓋を設けてもよい。既存のまま従来のタイプを使用する場合はカッターを兼ねた蓋の交換でも役目は果たせます。
【発明の効果】  片手の不自由な人々は勿論、健常者に於てもトイレットペーパーの使用は片手だけの方が便利です。切り残された方のペーハーも手がふれないので後に使用する人々にとっても衛生的です。
【発明を実施するための最良の形態】  図１は全体の斜視図。
図２は断面の斜視図。１はトイレットペーパーの巻紙、２は巻紙を支えるホールダーの本体、３はカッター付の蓋、４は美観上及び紙のみだれを防止する押さえ蓋、５は巻紙をカッター付蓋の上に引き出す隙間、これは従来品も両端で支えているので隙間がある。以上の構成で片手で３の蓋上の紙を必要分引き出し、蓋の先端のカッターに下向きに押しつけて紙をカットする。残った紙は先端のカッターの刃先迄は常に残っており、次に使う際には押さえ蓋と刃先との間の分を掴みとり引き出す。たえず使用した後のカッター付蓋の上の紙は手に触れられていないので衛生的でもある。
【実施例】  複数の家庭で試作品を使用。
【産業上の利用可能性】  衛生上からも、健常者に於ても必要な製品で、バリアフリーがさまざまに叫ばれていながら片手の不自由な方々はトイレで巻紙トイレットペーパーが使えず困っており、マーケットとしての産業上の利用可能性は国際的にも大です。
【図面の簡単な説明】
【図１】  全体の斜視図  １．巻紙
【図２】  断面の斜視図  ２．ホールダー本体  ３．先端がカッターの蓋  ４．美観上及びズレ防止の蓋  ５．巻紙を引き出す隙間
【図１】
2007098078.tif 000003
【図２】
2007098078.tif 000004
(57)【要約】【課題】  従来の建築材としてのとっこうは木製で、角材の中央を斜めに切断し、一方を壁側にまたもう一方を家具や絵画、鏡などの被取付物に取付けて、上部から差し入れるように壁面に取付けるものであった。そのため木材の厚みにより、被取付物をぴったりと壁面に設置することができず、また、接合部分がすべりやすく、壁からはずれる危険性もあった。【解決手段】  とっこうをステンレスで作ることにより強度を強め、厚さを５ｍｍに抑えた。これにより、被取付具へ直接取付けても、壁と被取付物との間の隙間が目立たなくなり、加工の手間を減らすことができる。また、取付具同士の接合部に突起を作り、さらに、接合部分の先端の角度を浅くした。これにより接合部分の摩擦が大きくなり、左右へのズレが防げるとともに、接合部がはがれることを防止することができる。【選択図】  図３
2007098073.tif 000002
【特許請求の範囲】
【請求項１】
家具、鏡、絵画、パネル等を壁面に取り付けるための取付具であり、被取付物および壁面にねじ止めする固定部と、所定位置で係止される保持部分がクランク状に４５度の折り返しによって金属板一枚分の隙間を生み出し、同形のものを被取付物および壁面に上下逆向きに取付けることにより、被取付物を固定することを可能とし、金属の成型により被取付物の大きさに合わせて長さを変更可能な一体型の板状の形状を持った壁面取付具。
【発明の詳細な説明】
【技術分野】
【０００１】  本発明は、家具、鏡、絵画、パネル等を壁面に取付けるための金具に関する。
【背景技術】
【０００２】  従来、家具等を壁面に取付けるにはとっこうと呼ばれる木製の器具を使用してきた。【０００３】  以下、図５によって従来の木製のとっこうによる壁面取付方法を説明する。図においてＡは被取付物、Ｂは取付物側とっこう、Ｃは壁面側とっこう、Ｄは壁面となる。【０００４】  とっこうＢ、Ｃは一本の木材（垂木）を４５度の角度で、２つの部材に切断したもので、壁面Ｄに壁側とっこうＣをネジ止めし、被取付物Ａに被取付物側とっこうＢをネジ止めし、とっこうＢの上部にとっこうＣの下部を重ねることによって、被取付物Ａを壁面Ｄに固定させる。
【発明の開示】
【発明が解決しようとする課題】
【０００５】  以上に述べた従来のとっこうによる壁面設置方法では、木材を使用するためとっこう自体の厚みが発生し、被取付物と壁面の間に大きな隙間が生まれる。その隙間を隠すために被取付物の裏側に梁Ｅを作り、裏側に深さを作る必要があった。また、木材を４５度の角度で組み合わせただけの状態であるため、左右に滑りやすく被取付物が壁面から外れる危険もあった。【０００６】  本発明は、このような従来の構造が有していた問題を解決しようとするものであり、とっこうの厚みを薄くするとともに、より強度をもった壁面への取付けを可能にすることを目的としたものである。
【問題を解決するための手段】
【０００７】  本発明は上記目的を達成するために金属製一体型で薄さを実現させ、強度を増すとともに、被取付物が壁面からはずれ落下することを防ぐため、係止部に線状の突起を設けた構造を持たせたものである。
【０００８】  上記課題の解決手段による作用は次の通りである。すなわち、薄い金属製の取付け具を使用することにより、被取付物と壁面の間には木製とっこうに見られるような大きな隙間が生じないため、被取付物の裏側側面をあらたに加工し覆う必要がなくなる。
【０００９】  また、該取付具の係止部平面上に線状の突起物を設けたことにより、該取付具同士が噛み合うことにより結合の強度が増し、被取付物が壁面から外れ落下する危険が減少する。
【発明の効果】
【００１０】  上述のように本発明は家具、鏡、絵画、パネル等を壁面に設置する際、作業を簡便化し、壁面に固定させる強度を増し、事故や地震等天災による家具の落下転倒を防ぐことに大きな効果を生む。また、壁面からの取付物の突起を抑えるため、狭い通路などに設置する際に効果的となる。
【発明の実施するための最良の形態】
【００１１】  以下、本発明の実施の形態を図１から図４に基づいて説明する。各部を示す数字（１から５まで）は各図とも共通の部分を示す。
【００１２】  該取付金具は薄い金属を中央２の部分でクランク状に折り曲げられた形態を持ち、取付物に合わせて全長を調整することが可能である。１の部分には細い溝が彫られ，３の部分には半円状の断面を持った線状の突起が付けられている。４の切断面は約６０度となっている。５は固定するためのネジ穴となる。
【００１３】  以下、上記構成の使用方法と効果を説明する。図において、Ａは被取付物、Ｂ、Ｃは該取付金具、Ｄは壁面とする。該取付金具Ｂ、Ｃは同一のものを上下一組使用し、図４のように一つは被取付物に、もう一つは壁面に固定する。取付の際には１の溝がガイドとなり、容易に固定位置を決定することができる。５のネジ穴は円形ではなく上下に幅を持たせてあるため、取付けの際に平行を調整することができる。
【００１４】  被取付物Ａを壁面に取付ける際には、該取付金具Ｃの上から該取付金具Ｂを差し込み固定する。その際、３の突起物がもう一方の金具に触れて摩擦を起こし、被取付物がズレたり落下することを防ぐ効果がある。また、該取付金具先端の切断面４は約６０度の鈍角となっているため、該取付金具の先端がもう一方の金具とあたる点６が、壁面Ｄと該取付金具Ｃが接触している面より内側となり、被取付物の重さがかかる部分が壁面との接触面からずれることにより、取付金具が壁面からはがれることを防ぐ効果がある。
【００１５】  また該取付金具自体の厚さ５ｍｍと薄いため、木製とっこうを使用するときのように厚い梁Ｅを設置する必要がなく、工程や施行が簡易化されるとともに、被取付物を壁面から張り出さずに設置することが可能となる。一例として、一般的に使用される幅７５０ｍｍ高さ１６００ｍｍの姿見を設置する場合、従来の木製とっこうであれば強度を持たせるために１５ｍｍ以上の厚さの垂木（梁Ｅ）を使う必要があったが、該取付金具を使用すれば粱Ｅの厚さは５ｍｍに抑えることができる。
【図面の簡単な説明】
【００１６】
【図１】本発明の実施形態を示す取付金具の平面図
【図２】同取付金具の断面図
【図３】同取付金具を斜め上方から見た外観図
【図４】同取付金具を実際に使用する際の断面図
【図５】従来の木製とっこうの断面図
【符号の説明】
【００１７】１  設置位置を決めるための溝
２  クランク状の折り曲げ部
３  ズレ防止のための突起
４  鈍角に切断された先端部
５  ネジ穴
【図１】
2007098073.tif 000003
【図２】
2007098073.tif 000004
【図３】
2007098073.tif 000005
【図４】
2007098073.tif 000006
【図５】
2007098073.tif 000007
(57)【要約】      （修正有）【課題】かいろ等に使用する蓄熱材は多くは放熱後硬化する特性を持つが、使い勝手をよくするために放熱後も柔軟性を保つ蓄熱材を提供する。【解決手段】効率の良い蓄熱材であるステアリン酸は放熱後硬化するため、これにオイルを混合して攪拌する。オイルによる保温性能低下を改善するため、アクリル酸を原料とする高吸水性樹脂を加え、更に撹拌混合することで、ステアリン酸単独の蓄熱材にほぼ同等の保温特性を有し、使い勝手の良いかいろとして用いることができる。【選択図】図３
2007098075.tif 000002
【特許請求の範囲】
【請求項１】
ステアリン酸を加熱液状化し、液状化したステアリン酸にオイルを撹拌混合してなる、かいろ用蓄熱材。
【請求項２】
請求項１に記載のオイルを混合せる液状化したステアリン酸を、更にアクリル酸を原料とした高吸水性樹脂に撹拌混合してなる、かいろ用蓄熱材。
【発明の詳細な説明】
【技術分野】
【０００１】  本発明は、効率の良い蓄熱原料のほとんどが、加熱により液状化これを放熱すると硬化する、これを出来るだけ放熱後も柔軟性を持つように、蓄熱材を改良しようとするものである。
【背景技術】
【０００２】  従来より何度でも繰り返し使用可能な熱源として、様々な蓄熱材が開発されているが、高効率の蓄熱材は放熱後に硬化するものが多く、あんかのような使用方法の場合は問題は無いが、かいろのように人体と衣服の間で使用する場合、放熱後も硬化しない方が使い勝手が良い、それ故硬化するのを出来るだけ防止しょうとするものである。
【発明の開示】
【発明が解決しょうとする課題】
【０００３】  本発明が解決しょうとする課題は、放熱後に硬化する蓄熱材を、放熱後に柔軟性を有するものにするのが課題である。
【課題を解決するための手段】
【０００４】  この課題を解決する手段として、放熱後に硬化する蓄熱材にオイルを混入して、放熱後の硬化状態になるのを防止し、オイル混入により蓄熱性能が低下するのを、アクリル酸を原料とする高吸水性樹脂と、撹拌混合する事により可能にしたものである。
【発明の効果】
【０００５】  発明の効果としては、かいろとして蓄熱材を使用する場合、使い勝手が良く、高効率のかいろ用蓄熱材を提供するものである。
【発明を実施するための最良の形態】
【０００６】  もっとも良いのは蓄熱材が常にゼリー状を保つ事であるが、現状ではゼリー状にした場合、蓄熱材としての性能が著しく低下する、それ故現状での最良の形態は、放熱後の硬化を出来るかぎり防止する事にある。
【実施例】
【０００７】  図により説明すれば、現状では効率の良い蓄熱材はステアリン酸であるが、放熱後に硬化する欠点が有る、図１はステアリン酸の特性を示すグラフで、これを基準とする。【０００８】  放熱後に硬化する蓄熱材は、あんかのように容器に金属等が使用可能な製品に適しており、かいろのように人体につけて使用する製品の場合は、放熱後も硬化しない方が望ましい。【０００９】  ゼリー状の保温材を使用した製品が数種類販売されているが、その全ての保温性能が著しく悪く実用的で無いのが現状で、本発明は放熱後硬化する蓄熱材を、放熱後の硬化をできるだけ防止しようとするものである。【００１０】  図２はその目的で蓄熱材にオイルを混合したもので、オイルの混合量の多い方が蓄熱材がゼリー状に近くなるが、保温性能が混入するオイル量に比例して低下する、図２のグラフはオイル混入量を抑えた時のものであるが、それでも基準に比べ保温性能は低下する。【００１１】  オイルを蓄熱材に混入するには、蓄熱材を加熱液状化しその中へオイルを入れて撹拌混合する。【００１２】  図２のオイル混入により低下した保温性能を改善する目的で、アクリル酸を原料とする高吸水性樹脂を使用した時の特性が図３である。  この場合図３のグラフを見ても分かるように、放熱後の硬化を有る程度防止して、保温特性も基準に近づいた事がわかる。【００１３】  吸水性樹脂にオイル及び蓄熱材をそのまま混合する事は出来ない、蓄熱材を加熱液状化しそれにオイルを撹拌混合し、更にこれらを加熱状態のまま吸水性樹脂と撹拌混合する。【００１４】  又図１、図２、図３のテストは、全て同じ条件（同重量「蓄熱材」・同室温・同湿度）にて測定したものである。  又基本蓄熱材としては「ステアリン酸」、吸水性樹脂には三菱化学の「アクアパール」を使用した。【００１５】  「かいろ」の場合は「あんか」が寝具内部で使用される好条件に比べ、放熱時間が短くなる悪条件が多く、しかも使い勝手を良くするという種々の難しい条件があり、かいろ用の蓄熱材の開発は更に改良を続行する必要が有るが、しかしながら本発明のものは、有る程度初期の目的に近づける事が出来た。
【産業上の利用可能性】
【００１６】  寒冷期の保温以外にも保温治療効果が期待出来るもので、老人社会になっている現状では、主として保温による治療面で役立つことが多いものである。
【図面の簡単な説明】
【００１７】
【図１】ステアリン酸の放熱温度特性を示す図である。
【図２】ステアリン酸にオイルを混入した放熱温度特性を示す図である。
【図３】ステアリン酸にオイルを混入、更に吸水性樹脂を混入した時の、放熱温度特性を示す図である。
【図１】
2007098075.tif 000003
【図２】
2007098075.tif 000004
【図３】
2007098075.tif 000005
(57)【要約】【課題】  筒袋状の外側を粘着面にした両面埃取り具を提供する。【解決手段】  筒状袋の外側を粘着性にし、片面ごとにその粘着面に接触するよう剥離可能な非粘着紙を介して携帯に適する大きさに巻きつけ、一箇所以上に切断するためのミシン目をいれたことを特徴とする両面粘着埃取り具。【選択図】  図１
2007098079.tif 000002
【特許請求の範囲】
【請求項１】
筒袋状の外側を粘着性にし、片面ごとにその粘着面に接触する面を剥離可能な非粘着紙を介して携帯に適する大きさに巻きつけ、一箇所以上に切断するためのミシン目をいれたことを特徴とする両面粘着埃取り具。
【発明の詳細な説明】
【技術分野】
【０００１】本発明は、両面を粘着性の筒袋状にし、非粘着紙を剥離して片面づつ使用出来るようにした携帯にも便利な両面粘着埃取り具に関するものである。
【背景技術】
【０００２】従来の粘着埃取り具は平面のものや、筒袋状であっても片面粘着のものであった。
【発明の開示】
【発明が解決しようとする課題】
【０００３】そのために、次のような問題点があった。
（イ）  平面を手で押さえるだけでは除去できる埃やごみには限界があり、粘着力はすぐに弱くなり無駄が多かった。
（ロ）  片面粘着の筒袋状では作業性は向上するが、不経済であり袋状の良さを生かしきれなかった。
本発明は、これらの問題点を解決するためになされたものである。
【課題を解決するための手段】
【０００４】  筒袋状の外側を粘着性にし、片面ごとにその粘着面に接触するよう剥離可能な非粘着紙を介して芯材に巻きつけ、一箇所以上に切断するためのミシン目をいれる。以上を特徴とする両面粘着埃取り具である。
【発明の効果】
【０００５】  押し付けて粘着するだけではなく、筒に指を入れてごみを摘んで処理できるので、融通性のある作業が出来る。又、片面ずつ使用できて経済的であり、筒状なので粘着面をひっくり返し易く剥離紙もごみと一緒に処理できて清潔である。
【発明を実施するための最良の形態】
【０００６】  以下、本発明の実施の形態について説明する。
（イ）筒袋状の外側を粘着性にし、間に剥離用の非粘着紙を介したものを芯材に巻き付け、手が差し込める大きさに折りたたむ。
（ロ）適当な大きさの位置に切断用のミシン目を入れる。
本発明は以上のような構成で、これを使用する時は、指を差し込みながら下側の非粘着紙より剥がして使用し、必要なら上側を剥がして使用し、最終的には筒袋の形状を生かして融通性のある作業ができる。
【図面の簡単な説明】
【０００７】
【図１】本発明の斜視図
【図２】本発明の全体側面図
【図３】本発明の一部拡大側面図
【符号の説明】
【０００８】  １  粘着面
２  非粘着面
３  切断用切り目
４  筒袋
５  芯材
【図１】
2007098079.tif 000003
【図２】
2007098079.tif 000004
【図３】
2007098079.tif 000005